(57)【要約】【課題】設置工事が簡単であり、コストが低く、家屋の不法侵入を確実に判断できる信頼度の高いセキュリティシステムを提供する。【解決手段】ドア本体１とドア枠６、又は親ドアと子ドアの間にある閂３の先端と受穴５の奥にそれぞれ電気接点４を設け、それを介するドア開閉検出電気回路２を設ける。ドアの開閉検出回路２、システムコントロールユニット、監視カメラ、これらの装置に給電する充電蓄電式バッテリーをドア本体１の内部又は内側とドア枠６の中に全部集約する。不法侵入の可能性を感知した場合、不法侵入の可能性を感知したというメッセージを通知すると共に、監視カメラに撮影される静止画像又は動画をシステム利用者及び管理センターに伝達する機能を設ける。各装置に給電する充電蓄電式バッテリーへの給電は、これら装置とのデータ情報通信を行うＥｔｈｅｒｎｅｔケーブル７によるＰｏｗｅｒ  ｏｖｅｒ  Ｅｔｈｅｒｎｅｔ給電方法を採る。【選択図】図１
2015130137.tif 000002
【特許請求の範囲】
【請求項１】
ドア本体とドア枠、又は親ドアと子ドアの間にある閂の先端と受穴の奥にそれぞれ電気接点を設け、それを介する電気回路を構築し、電気接点の開閉により、ドアの開閉を検出するのを特徴とするセキュリティシステム。
【請求項２】
ドアの開閉検出回路、システムの設定、解除を行うコントロールユニット、人感センサーの付いた外からドアの開閉を行う人間の顔を撮影できるドアの外側を向ける監視カメラ、また、セキュリティシステムのコントロールユニットの操作を行う人間の顔を撮影できるドアの内側に向ける監視カメラ、また、これらの装置に給電する充電蓄電式バッテリーをドア本体の内部又は内側とドア枠の中に全部集約するのを特徴とするセキュリティシステム。
【請求項３】
外出などで前記セキュリティシステムをＯＮにセットした状態で、事前にインターネット、または管理センターなどを通じてＯＦＦに解除しない状態で、ドアの開閉を検知し、不法侵入の可能性を感知した場合、規定時間内にコントロールユニットにての正常解除による不法侵入の判断結果を待たずに、利用者又は管理センターに不法侵入の可能性を感知したというメッセージを通知すると共に、ドアの前に人感センサーが作動した場合はセンサーが作動してから、センサーが作動しない場合は、ドアの開閉が検出されてから、規定された一定時間内に、または利用者或いは管理センターが解除を行うまで、又は一定の条件をクリアされるまで、前記ドアの外側を向ける監視カメラとドアの内側に向ける監視カメラに撮影される静止画像又は動画をシステム利用者及び管理センターに伝達し、また、その間に撮影された動画をコントロールユニットに保存し、利用者及び管理センターがいつでも確認できるのを特徴とするセキュリティシステム。
【請求項４】
前記ドア本体の内部又は内側とドア枠の中に集約される各装置に給電する充電蓄電式バッテリーへの給電は、これら装置とのデータ情報通信を行うＥｔｈｅｒｎｅｔケーブルによるＰｏｗｅｒ  ｏｖｅｒ  Ｅｔｈｅｒｎｅｔ給電方法を特徴とする。
【発明の詳細な説明】
【技術分野】
【０００１】本発明は、住居等の家屋や、事業所の事務所等において、ドアや窓から不法な侵入者を検出するセキュリティシステムに関する。
【背景技術】
【０００２】従来の、住居等の家屋や、事業所の事務所等において、不法な侵入者を検出するセキュリティシステムは、非接触センサー、また接触センサーをドアとドア枠の表面に取り付けるセキュリティシステムがあった。【０００３】従来の、住居等の家屋や、事業所の事務所等において、出入り口、外の主要通路、家屋の中の不特定な場所に監視カメラを設置するセキュリティシステムがあった。【０００４】従来の、住居等の家屋や、事業所の事務所等に設置されるセキュリティシステムは、ＯＮにセットした状態で、事前にＯＦＦに解除しない状態でドアの開閉を検知し、不法侵入の可能性を感知した場合では、規定時間内にセキュリティＯＮ／ＯＦＦをセットするコントロールユニットにての解除をすれば自動的に不正侵入でないと判断される。【０００５】従来の、住居等の家屋や、事業所の事務所に設置されるセキュリティシステムは、ドア開閉を検知するセンサー、コントロールユニット、監視カメラはそれぞれ異なる場所に設置されるのが一般的である。【０００６】従来の、住居等の家屋や、事業所の事務所に設置されるセキュリティシステムは専用の電力供給が必要である。
【発明の展示】
【発明が解決しようとする課題】
【０００７】上記のような従来のセキュリティシステムでは、一般的に、例えばドア・窓開閉センサー等の誤動作が多く、また意図的に誤動作を引き起こす恐れがあることは知られている。
【０００８】また、上記のような従来のセキュリティシステムでは、設置されるセキュリティシステムは、ＯＮにセットした状態で、事前にＯＦＦに解除しない状態でドアの開閉を行うなど不法侵入の可能性を感知した場合では、規定時間内にセキュリティコントロールユニットにて解除をすれば不正侵入でないと自動的に判断されるので、セット用ＰＷ、またはセットキーを不正入手した場合は、正しく不正侵入と認識されないことがある。
【０００９】上記の場合は、規定時間内にコントロールユニットにて正常に、又は正常のように解除されれば、仮に管理センターに画像情報を伝達しても、利用者の許可した人による入室かどうかは判断できないので、正常解除としか判断されない。
【００１０】上記のような従来のセキュリティシステムでは、専用の給電が必要であり、安全な電圧にする変圧器、専用の給電ケーブルなどが必要であり、コストが高く、設置工事も複雑である。
【００１１】上記のような従来のセキュリティシステムでは、ドア開閉を検知するセンサー、コントロールユニット、監視カメラはそれぞれ異なる場所に設置されるので、設置工事は複雑になり、また故障の確率が高くなる。
【課題を解決するための手段】
【００１２】本発明では上記課題を解決するため、下記のような構成を採る。
【００１３】本特許出願に係る請求項１に記載の発明は、ドア本体とドア枠、又は親ドアと子ドアの間にある閂はドアの開閉と必ず連動して動くという特性を利用し、ドアの閂の先端と受穴の閂の先端と接触する奥の部分にそれぞれ電気接点を設け、その電気接点を介するドア開閉を検出する電気回路を設けるシステムである。
【００１４】ドアが閉まっている状態で、閂の先端が受穴の奥に入り込み、電気接点の接続により、ドア開閉検出する電気回路を閉路にする。この状態をセキュリティシステムは異常なしと判断される。
【００１５】ドアを開ける際、閂の先端は受穴の奥から表に移動するので、ドア開閉検出する電気回路を開にする。この状態をセキュリティシステムは不正侵入の可能性として判断される。
【００１６】本特許出願に係る請求項２に記載の発明は、ドアの開閉検出回路、システムの設定、解除を行うコントロールユニット、人感センサーの付いた外からドアの開閉を行う人間の顔を撮影できるドアの外側を向ける監視カメラ、また、セキュリティシステムのコントロールユニットの操作を行う人間の顔を撮影できるドアの内側に向ける監視カメラ、また、これらの装置に給電する充電蓄電式バッテリーをドア本体の内部又は内側とドア枠の中に全部集約し、それぞれの装置をドア本体の内部とドア枠の内部で配線、接続をするシステムである。
【００１７】本特許出願に係る請求項３に記載の発明は、セキュリティＯＮ／ＯＦＦをセットするコントロールユニットの本体、又は近くに、ＯＮ／ＯＦＦセット操作する者の顔など姿を撮影できる監視カメラを設置する。
【００１８】前記セキュリティシステムをＯＮにセットした状態で、事前にＯＦＦに解除しない状態でドアの開閉を検知し、不法侵入の可能性を感知した場合は、規定時間内にコントロールユニットにての正常解除による不法侵入の判断結果を待たずに、利用者又は管理センターに不法侵入の可能性を感知したというメッセージを通知すると平行に、ドアの前に人感センサーが作動した場合はセンサーが作動してから、センサーが作動しない場合は、ドアの開閉が検出されてから、規定された一定時間内に、または利用者或いは管理センターが解除を行うまで、又は一定の条件をクリアされるまで、前記ドアの外側を向ける監視カメラとドアの内側に向ける監視カメラに撮影される静止画像又は動画をシステム利用者及び管理センターに伝達する機能、それから、その間に撮影される動画情報はシステムコントロールユニットに記録され、利用者及び管理センターはいつでもその録画情報を確認できる機能を設けるシステムである。
【００１９】本特許出願に係る請求項４に記載の発明は、セキュリティコントロールユニット、また構成される複数本の検出電気回路の全部又は一部、又はこれらに備えられた充電、蓄電装置と情報通信を行うＥｔｈｅｒｎｅｔケーブルにより、電力を供給する方式を用いるシステムである。
【００２０】電力を供給すると共に、ドアの開閉検出状態、回路に電気が流れているかなどの情報を、セキュリティコントロールユニットを通じてシステム全体の状態を継続的に、又は断続的にＥｔｈｅｒｎｅｔケーブルを通じて監視するシステムである。
【発明の効果】
【００２１】本発明は上記のような構成を採ることで、ドアが閉まっている状態では、閂の先端に設けられた電子接点はまだ受穴の中深くにあるので、検出電気回路が断になるまで、すなわち、電子接点が確実に離れるまで誤動作を解消するバッファーを設けられるので、誤動作を防げる。また、検出電気回路が開になった時点で、まだ閂の先端が受穴の中にあるので、外部からの妨害行為を確実に防げるようになった。
【００２２】ドアの開閉検出回路、システムの設定、解除を行うコントロールユニット、人感センサーの付いた外からドアの開閉を行う人間の顔を撮影できるドアの外側を向ける監視カメラ、また、セキュリティシステムのコントロールユニットの操作を行う人間の顔を撮影できるドアの内側に向ける監視カメラ、また、これらの装置に給電する充電蓄電式バッテリーをドア本体の内部又は内側とドア枠の中に全部集約し、それぞれの装置をドア本体の内部とドア枠の内部で配線、接続をする構成を採ることで、工事が不要になり、作動状態の信頼性が上がり、さらに、誤動作、又は人為的な誤動作誘発を大幅に抑えられるようになった。
【００２３】前記セキュリティシステムをＯＮにセットした状態で、事前にＯＦＦに解除しない状態でドアの開閉を検知し、不法侵入の可能性を感知した場合は、利用者にドア開閉ありというメッセージによる警告を促すと共に、利用者にドア前に人が立った時から入室、また、入室後コントロールユニットでの解除動作までのリアルタイム画像情報、又は記録される録画画像情報を利用者しか判断できない判断材料として提供することで、判断精度を高めることができるようになった。
【００２４】当然、ドアの開閉、入室などをする人間が意図的に監視カメラに映らないような映像の場合は、利用者として不法侵入の可能性が極めて高いと判断される。
【００２５】Ｅｔｈｅｒｎｅｔケーブルによる安全直流低電圧を提供することで、別途配線、変圧装置など電源装置は不要になり、コストが下がり、設置工事も簡単になった。また、情報通信するケーブルを兼用するので、意図的にケーブルを切断するなど破壊行為があった場合は、異常だと確実に判断されるようになった。
【発明を実施するための形態】
【００２６】以下に本発明の実施の形態について、図面を参照して説明する。
【００２７】図１に、本発明の基本構成例を示す。ドア本体とドア枠の間にある閂の先端と受穴の奥にそれぞれ電気接点を設け、それを介するドア開閉検出電気回路を設ける。
【００２８】ドアの開閉検出回路をドア本体の内部とドア枠の内部に、画像記録装置内蔵するシステムコントロールユニット本体をドア本体の内部に埋め込み、コントロールユニットの操作パネルをドア本体の内側に設置し、ドアの外側向き監視カメラとコントロールユニット操作パネル前を撮影する監視カメラをそれぞれドア本体の内部に埋め込み、これらの装置に給電する充電蓄電式バッテリーをコントロールユニット本体の内部に設置する。
【００２９】上記各装置をドア本体内部及びドア枠内部にて電気供給、情報通信をするケーブルで予め接続し、ドア本体とドア枠内部に埋め込む。インターネット通信装置をインターネット回線に接続し、利用者と管理センターに通信可能な状態にする。
【００３０】インターネット通信装置をシステムコントロールユニットと給電と情報通信できるようにＥｔｈｅｒｎｅｔケーブルで接続する。
【００３１】図２のように、窓など他の開閉検出装置、他の場所に設置される監視カメラを有線または無線通信で接続することもある。
【００３２】図３に、本システムの動作をフローチャートにて説明する。システムユニットは規定された時間間隔、例えば０．５秒間隔で管理センターへ情報を、インターネット装置を通じて送信する。管理センターは、規定された時間間隔、例えば２秒間隔でシステムの設置された家屋からの情報通信の有無をチェックする。情報通信がないときは異常を判断し、管理センターの担当に異常発生と伝える。
【００３３】管理センターは、インターネットを通じて規定された時間間隔でシステムの設置された家屋からの情報通信の中に、またドアの開閉検出、異常発生の有無も監視する。ドアの開閉を検知し、異常の可能性を検知した情報を得た場合は、引き続き、規定時間内に異常の可能性が正常に解除されたかどうかを監視し、正常解除されない異常を検知した場合は、直ちに利用者に知らせる。
【００３４】システムユニットは常に開閉回路の状態を監視し、また、ドアの開閉の有無を監視する。異常の可能性であるドアの開閉を検知した場合は、直ちにインターネットを通じて利用者に状況を知らせるメッセージを送信する。また、利用者はインターネットを通じて、リアルタイムの画像情報、また、記録された録画画像情報を確認できる。それから、正常に解除された際、システムユニットはインターネットを通じて利用者にその情報を伝える。
【図面の簡単な説明】
【００３５】
【図１】本考案のシステム構成図である。
【図２】本考案実施例のシステム構成図である。
【図３】本考案実施例のシステム動作フローチャート図である。
【符号の説明】
【００３６】１  ドア本体
２  ドア開閉検出電気回路
３  閂
４  電気接点
５  受穴
６  ドア枠
７  Ｅｔｈｅｒｎｅｔケーブル
８  有線又は無線データ通信
９  データ通信
１０  有線又は無線データ通信を含む情報のやり取り
１１  給電とデータ通信
１２  有線又は無線データ通信
【図１】
2015130137.tif 000003
【図２】
2015130137.tif 000004
【図３】
2015130137.tif 000005